(57)【要約】  【課題】  上部のスラット群と下部のスラット群とを別々の角度で回転可能な電動ブラインドの各スラット群の回転角度を操作するための電動ブラインドの操作装置において、複数のスラット群を備えない電動ブラインドの操作装置として従来から存在する基本的機能のみを有する操作装置をそのまま流用することができ、製造コストを低減させることができるようにする。  【解決手段】  操作装置５０の手操作可能な入力部５２には、スラット回転用ボタン６０、６２とブラインドの昇降のためのブラインド昇降用ボタン５４、５６とが設けられ、スラット回転用ボタン６０、６２の操作により一方のスラット群の回転のための指令信号が発生し、ブラインド昇降用ボタン５４、５６の操作の仕方により他方のスラット群の回転のための指令信号が発生する。【選択図】  図４
2006063633.tif 000002
【特許請求の範囲】
【請求項１】
スラット群が上部スラット群と下部スラット群とで構成され、指令信号に応答して上下のスラット群をそれぞれ個別に回転動作可能な電動ブラインドに対して、手操作可能な入力部の操作に基づき前記指令信号を与えることにより前記上下のスラット群をそれぞれ回転動作させる電動ブラインドの操作装置であって、
前記入力部には、スラット回転用ボタンとブラインドの昇降のためのブラインド昇降用ボタンとが設けられ、スラット回転用ボタンの操作により一方のスラット群の回転のための指令信号が発生し、ブラインド昇降用ボタンの操作の仕方により他方のスラット群の回転のための指令信号が発生することを特徴とする電動ブラインドの操作装置。
【請求項２】
前記ブラインド昇降用ボタンの所定時間以上の連続操作によって、他方のスラット群の回転のための指令信号が発生し、前記ブラインド昇降用ボタンの所定時間より短い時間の間欠操作によって、ブラインドの昇降のための指令信号が発生することを特徴とする請求項１記載の電動ブラインドの操作装置。
【請求項３】
前記ブラインド昇降用ボタンの操作によって、他方のスラット群が回転動作を行った後にブラインドの昇降動作を行うための指令信号が発生することを特徴とする請求項１記載の電動ブラインドの操作装置。
【請求項４】
スラット群が上部スラット群と下部スラット群とで構成され、指令信号に応答して上下のスラット群をそれぞれ個別に回転動作可能な電動ブラインドに対して、手操作可能な入力部の操作に基づき前記指令信号を与えることにより前記上下のスラット群をそれぞれ回転動作させる電動ブラインドの操作装置であって、
前記入力部には、スラット回転用ボタンとスラット群切替ボタンとが設けられ、スラット群切替ボタンの操作により、スラット回転用ボタンで動作させることができるスラット群が上下で切り替わり、
さらに表示部が設けられ、表示部は、スラット群切替ボタンの操作と連動して、動作させることができるスラット群を表示することを特徴とする電動ブラインドの操作装置。
【請求項５】
スラット群が上部スラット群と下部スラット群とで構成され、指令信号に応答して上下のスラット群をそれぞれ個別に回転動作可能な電動ブラインドに対して、手操作可能な入力部の操作に基づき前記指令信号を与えることにより前記上下のスラット群をそれぞれ回転動作させる電動ブラインドの操作装置であって、
前記入力部からはスラットの回転角度の段階を表す数値によってスラットの回転角度を指定可能となっており、指定可能な初期段階から最終段階までの連続した段階のうち、初期段階から中間段階までのいずれかの段階を表す数値が指定されることによって、一方のスラット群の回転角度が指定されて指令信号が発生し、中間段階から最終段階までの段階を表す数値が指定されることによって、他方のスラット群の回転角度が指定されて指令信号が発生することを特徴とする電動ブラインドの操作装置。
【発明の詳細な説明】
【技術分野】
【０００１】
本発明は、スラット群が上部スラット群と下部スラット群とで構成され、上部のスラット群と下部のスラット群とを個別に回転動作可能な電動ブラインドの各スラット群の回転を操作するための電動ブラインドの操作装置に関する。
【背景技術】
【０００２】
従来、この種の電動ブラインドの操作装置としては、特許文献１（特許第２６８８７２２号公報）に記載されたものが知られている。この電動ブラインドは、ブラインドの複数のスラットを上下に少なくとも２つの群に分割し、モータによって角度調節用回転部材を回転することにより、各群に属するスラットに連結されている連結部材を移動させて各群のスラットを開閉させ、各群のモータを回転または停止させる指令手段から群別の指令を行うことにより、各群のスラットを個別に回転させることができ、または各群のスラットを一括して動作するように指令を行うことにより、ブラインドの全てのスラットを一斉に回転させることができる。
【０００３】
この電動ブラインドの操作装置には、ブラインドの昇降を指令するための上昇スイッチ及び下降スイッチと、ブラインドの昇降動作の停止を指令するための停止スイッチと、スラットを時計方向に回動させるためのスラット開閉用スイッチと、スラットを反時計方向に回動させるためのスラット開閉用スイッチの基本的機能を有するスイッチの他に、角度を変更すべきスラットが第１のグループのスラットであることを指定するための第１グループ選択スイッチと、角度を変更すべきスラットが第２のグループのスラットであることを指定するための第２グループ選択スイッチと、両方のグループを対象とすることを指定するための全指定スイッチと、が設けられている。
【０００４】
【特許文献１】特許第２６８８７２２号公報
【発明の開示】
【発明が解決しようとする課題】
【０００５】
しかしながら、上記のような第１グループ選択スイッチ、第２グループ選択スイッチまたは全指定スイッチといったスイッチは、複数のスラット群を備えていない通常の電動ブラインドに使用する汎用の操作装置には不要のスイッチであり、汎用の操作装置にはかかるスイッチは設けられていない。そのため、複数のスラット群を備える電動ブラインドには、専用の操作装置を製造する必要があり、その製造コストがかかる、という問題がある。
【０００６】
本発明はかかる課題に鑑みなされたもので、複数のスラット群を備えない電動ブラインドの操作装置として従来から存在する基本的機能のみを有する操作装置をそのまま流用することができ、製造コストを低減させることができる電動ブラインドの操作装置を提供することをその目的とする。
【課題を解決するための手段】
【０００７】
前述した目的を達成するために、請求項１記載の発明は、スラット群が上部スラット群と下部スラット群とで構成され、指令信号に応答して上下のスラット群をそれぞれ個別に回転動作可能な電動ブラインドに対して、手操作可能な入力部の操作に基づき前記指令信号を与えることにより前記上下のスラット群をそれぞれ回転動作させる電動ブラインドの操作装置であって、
前記入力部には、スラット回転用ボタンとブラインドの昇降のためのブラインド昇降用ボタンとが設けられ、スラット回転用ボタンの操作により一方のスラット群の回転のための指令信号が発生し、ブラインド昇降用ボタンの操作の仕方により他方のスラット群の回転のための指令信号が発生することを特徴とする。
【０００８】
請求項２記載の発明は、請求項１記載のものにおいて、前記ブラインド昇降用ボタンの所定時間以上の連続操作によって、他方のスラット群の回転のための指令信号が発生し、前記ブラインド昇降用ボタンの所定時間より短い時間の間欠操作によって、ブラインドの昇降のための指令信号が発生することを特徴とする。
【０００９】
請求項３記載の発明は、請求項１記載のものにおいて、前記ブラインド昇降用ボタンの操作によって、他方のスラット群が回転動作を行った後にブラインドの昇降動作を行うための指令信号が発生することを特徴とする。
【００１０】
請求項４記載の発明は、スラット群が上部スラット群と下部スラット群とで構成され、指令信号に応答して上下のスラット群をそれぞれ個別に回転動作可能な電動ブラインドに対して、手操作可能な入力部の操作に基づき前記指令信号を与えることにより前記上下のスラット群をそれぞれ回転動作させる電動ブラインドの操作装置であって、
前記入力部には、スラット回転用ボタンとスラット群切替ボタンとが設けられ、スラット群切替ボタンの操作により、スラット回転用ボタンで動作させることができるスラット群が上下で切り替わり、
さらに表示部が設けられ、表示部は、スラット群切替ボタンの操作と連動して、動作させることができるスラット群を表示することを特徴とする。
【００１１】
請求項５記載の発明は、スラット群が上部スラット群と下部スラット群とで構成され、指令信号に応答して上下のスラット群をそれぞれ個別に回転動作可能な電動ブラインドに対して、手操作可能な入力部の操作に基づき前記指令信号を与えることにより前記上下のスラット群をそれぞれ回転動作させる電動ブラインドの操作装置であって、
前記入力部からはスラットの回転角度の段階を表す数値によってスラットの回転角度を指定可能となっており、指定可能な初期段階から最終段階までの連続した段階のうち、初期段階から中間段階までのいずれかの段階を表す数値が指定されることによって、一方のスラット群の回転角度が指定されて指令信号が発生し、中間段階から最終段階までの段階を表す数値が指定されることによって、他方のスラット群の回転角度が指定されて指令信号が発生することを特徴とする。
【発明の効果】
【００１２】
請求項１ないし請求項３記載の発明によれば、ブラインド昇降用ボタンがブラインドの昇降のためのボタンと他方のスラット群の回転のためのボタンとを兼用し、ブラインド昇降用ボタンの操作の仕方により他方のスラット群の回転動作をさせるように切り替えているために、スラット群が上部スラット群と下部スラット群に分かれていない従来の電動ブラインドに用いられる基本的機能のみを有する汎用の操作装置とハードウェア的に同じ操作装置を使用することができ、新たに発生する製造コストの低減を図ることができるようになる。
【００１３】
請求項４記載の発明によれば、スラット群切替ボタンの操作により、スラット回転用ボタンで動作させることができるスラット群を上下で切り替えるようにしているために、１つの切替ボタンを有する汎用の操作装置とハードウェア的に同じ操作装置を使用することができ、新たに発生する製造コストの低減を図ることができるようになる。
【００１４】
請求項５記載の発明によれば、入力部からユーザが指定する数値により、動作させることができるスラット群を切り替えることができるために、数値を指定することができる汎用の操作装置とハードウェア的に同じ操作装置を使用することができ、新たに発生する製造コストの低減を図ることができるようになる。
【発明を実施するための最良の形態】
【００１５】
以下、図面を用いて本発明の実施の形態を説明する。
（第１実施形態）
図１は、電動ブラインドとその電動ブラインドに接続され、電動ブラインドの動作をさせるべく手操作可能な操作装置を表す図である。
【００１６】
電動ブラインド１０は、上部スラット群１４Ａと下部スラット群１４Ｂとで構成されるスラット１４群を有している。ヘッドボックス１１からそれぞれ複数の第１のラダーコード１２と第２のラダーコード１３とが垂下されており、図２（ａ）に示すように、第１のラダーコード１２の中段コード１２ｂによって上部スラット群１４Ａが整列状態で支持されており、第２のラダーコード１３の中段コード１３ｂによって下部スラット群１４Ｂ及びスラット１４の下方にあるボトムレール１５が整列状態で支持されている。また、ヘッドボックス１１から昇降部材である複数の昇降テープ１６が垂下されており、昇降テープ１６は、各スラット１４を挿通してボトムレール１５に連結されている。
【００１７】
各第１のラダーコード１２の前後の垂直コード１２ａ、１２ａの上端は、ヘッドボックス１１内の第１の回転ドラム１８に連結されている。第１の回転ドラム１８には、それぞれヘッドボックス１１内を長手方向に伸びる第１のシャフト２０が貫通している。第１のシャフト２０は、ヘッドボックス１１内に配設される第１のモータ２４によって回転駆動される。第１のシャフト２０には、第１のシャフト２０の回転角度を検出する第１のエンコーダ２６が設けられる。
【００１８】
各第２のラダーコード１３の前後の垂直コード１３ａ、１３ａの上端は、ヘッドボックス１１内の第２の回転ドラム２８に連結されている。また、各昇降テープ１６の上端は、ヘッドボックス１１内の昇降ドラム３０に巻取り及び巻解き可能に連結される。第２の回転ドラム２８及び昇降ドラム３０には、それぞれヘッドボックス１１内を長手方向に伸びる第２のシャフト２２が貫通している。第２のシャフト２２は、ヘッドボックス１１内に配設される第２のモータ３２によって回転駆動される。また、第２のシャフト２２には、第２のシャフト２２の回転角度を検出する第２のエンコーダ３４が設けられる。
【００１９】
第２の回転ドラム２８は、クラッチバネを介して第２のシャフト２２に連結されており、所定角度の範囲で第２のシャフト２２と共に回転するようになっている一方で、昇降ドラム３０は第２のシャフト２２と相対回転不能となっており、常に第２のシャフト２２と共に回転するようになっている。
【００２０】
ヘッドボックス１１内にはブラインドの昇降及びスラットの開閉を制御する制御用基板３８が配設される。図３は、第１実施形態による制御用基板３８及び操作装置５０の構成を表すブロック図である。
【００２１】
制御用基板３８は、マイクロコンピュータ４０を備えており、マイクロコンピュータ４０には、第１のエンコーダ２６及び第２のエンコーダ３４からの回転に応じたパルス信号が入力され、マイクロコンピュータ４０からは第１のモータドライバ４２及び第２のモータドライバ４４にモータ駆動信号が出力される。
【００２２】
第１のモータドライバ４２を介して第１のモータ２４を駆動して第１のシャフト２０を所定方向に回転すると、第１の回転ドラム１８が同じ方向に回転する。第１の回転ドラム１８が回転することで、第１のラダーコード１２の前後の垂直コード１２ａ、１２ａの間に相対運動が発生して、上部スラット群１４Ａが回転する。
【００２３】
第２のモータドライバ４４を介して第２のモータ３２を駆動して第２のシャフト２２を所定方向に回転すると、第２の回転ドラム２８及び昇降ドラム３０が同じ方向に回転する。第２の回転ドラム２８は所定角度まで回転すると、それ以上の回転が阻止され、クラッチバネによって第２の回転ドラム２８は第２のシャフト２２との間で空転する。第２の回転ドラム２８が回転することで、第２のラダーコード１３の前後の垂直コード１３ａ、１３ａの間に相対運動が発生して、下部スラット群１４Ｂが回転する。また、昇降ドラム３０が回転することで、昇降テープ１６が昇降ドラム３０に巻取り及び巻解きされて、スラット１４が下方から全体的に昇降する。
【００２４】
制御用基板３８には、操作装置５０が接続されており、操作装置５０からの指令信号に基づいて、前記モータ駆動信号が出力される。
【００２５】
操作装置５０は、図４に示すように、ユーザが手操作可能な入力部５２を有しており、入力部５２には、ブラインドを上昇させるブラインド上昇ボタン５４、ブラインドの下降をさせるブラインド下降ボタン５６、ブラインドを停止させるブラインド停止ボタン５８、スラットを正方向に回転させるスラット正回転ボタン６０及びスラットを逆方向に回転させるスラット逆回転ボタン６２が設けられる。このボタンの数及び配置は、汎用の操作装置と同じである。
【００２６】
これらのボタンの中でブラインド上昇ボタン５４及びブラインド下降ボタン５６は、ブラインド昇降用ボタンであり、スラット正回転ボタン６０及びスラット逆回転ボタン６２は、スラット回転用ボタンである。しかしながら、この実施形態におけるブラインド昇降用ボタンは、ブラインドの昇降をさせるためだけのボタンではなく、下部スラット群１４Ｂの回転をさせるためのボタンを兼用している。また、スラット正回転ボタン６０及びスラット逆回転ボタン６２からなるスラット回転用ボタンは、上部スラット群１４Ａのみの回転をさせるためのボタンとなっている。各ボタンはそれぞれマイクロコンピュータ４０に接続されるスイッチを構成する。
【００２７】
マイクロコンピュータ４０は、前記ブラインド昇降用ボタンがブラインド昇降用か、またはスラット回転用として操作されたかを識別して切り替えるためのボタン機能切替手段４０１を有している。
【００２８】
ボタン機能切替手段４０１は、ブラインド昇降用ボタン５４、５６がＯＮとなる時間とＯＦＦになる時間を計時しており、図５（ａ）に示したように、ＯＮとなった連続時間が所定時間Ｔｓ以内で、且つ所定時間Ｔｓ内に再びＯＮとなった場合には、ブラインド昇降用として操作されたものと判定し、図５（ｂ）に示したように、ＯＮとなった連続時間が所定時間Ｔｓ以上である場合には、下部スラット群１４Ｂ回転用として操作されたものと判定する。例えば、所定時間Ｔｓとしては、１秒から数秒とすることができる。
【００２９】
図５（ａ）の場合には、ブラインド昇降用ボタン５４、５６のいずれかの所定時間Ｔｓ内の短いＯＮの後に、次のＯＮの立ち上がりで、マイクロコンピュータ４０から第２のモータドライバ４４へと駆動信号が出力されて、第２のモータ３２の駆動が行われる。ブラインド昇降用ボタンのうちのブラインド上昇ボタン５４及びブラインド下降ボタン５６のうちのどちらがＯＮとなったかに応じて第２のモータ３２の回転方向が決定される。この第２のモータ３２の駆動は、ブラインド停止ボタン５８がＯＮとなるまで継続される。こうして、スラット１４の下方から全体的にブラインドを昇降させることができる。
【００３０】
図５（ｂ）の場合には、ブラインド昇降用ボタン５４、５６がＯＮとなって所定時間Ｔｓ後に、マイクロコンピュータ４０から第２のモータドライバ４４へと駆動信号が出力されて、第２のモータ３２の駆動が行われる。ブラインド昇降用ボタンのうちのブラインド上昇ボタン５４及びブラインド下降ボタン５６のうちのどちらがＯＮとなったかに応じて第２のモータ３２の回転方向が決定される。この第２のモータ３２の回転は、ブラインド昇降用ボタン５４、５６がＯＦＦとなるまで継続され、低速にまたはステップ回転される。こうして、下部スラット群１４Ｂを回転させることができる。
【００３１】
図５（ｃ）の場合には、スラット回転用ボタン６０、６２がＯＮとなると、マイクロコンピュータ４０から第１のモータドライバ４２へと駆動信号が出力されて、第１のモータ２４の駆動が行われる。スラット回転用ボタンのうちのスラット正回転ボタン６０及びスラット逆回転ボタン６２のうちのどちらがＯＮとなったかに応じて第１のモータ２４の回転方向が決定される。この第１のモータ２４の回転は、スラット回転用ボタン６０、６２がＯＦＦとなるまで継続され、低速にまたはステップ回転される。こうして、上部スラット群１４Ａを回転させることができる。
【００３２】
以上のようにして、上部スラット群１４Ａと下部スラット群１４Ｂとに分かれていないブラインドの既存の操作装置とボタン数及び接続線数が同じハードウェアの操作装置であるにもかかわらず、上部スラット群１４Ａ及び下部スラット群１４Ｂの回転をそれぞれ個別に操作することができるようになる。尚、この実施形態において、スラット回転用ボタンによって回転動作するのを下部スラット群１４Ｂとし、ブラインド昇降用ボタンによって回転動作するのを上部スラット群１４Ａとすることも可能である。また、図５（ａ）をスラット回転用、図５（ｂ）をブラインド昇降用の操作とすることもできる。また、より単純に、所定時間内の連続操作と所定時間以上の連続操作で、スラット回転とブラインド昇降を切り替えることも可能である。
【００３３】
（第２実施形態）
図６は、本発明の第２の実施形態によるタイミングチャートを表す図である。図示しない他の部分は、第１の実施形態と同一であるため、詳細説明を省略する。この実施形態のボタン機能切替手段４０１は、ブラインド昇降用ボタン５４、５６がＯＮとなった場合に、下部スラット群１４Ｂが全閉になるまではスラット回転用として操作されているものと判定し、下部スラット群１４Ｂが全閉になった以降は、ブラインド昇降用として操作されているものと判定する。
【００３４】
図６（ａ）の場合には、ブラインド昇降用ボタン５４、５６のいずれかのＯＮの立ち上がりで、マイクロコンピュータ４０から第２のモータドライバ４４へと駆動信号が出力されて、第２のモータ３２の駆動が行われる。ブラインド昇降用ボタンのうちのブラインド上昇ボタン５４及びブラインド下降ボタン５６のうちのどちらがＯＮとなったかに応じて第２のモータ３２の回転方向が決定される。この第２のモータ３２の駆動は、ブラインド停止ボタン５８がＯＮとなるまで、または、第２のエンコーダ３４からの角度信号によって、下部スラット群１４Ｂの全閉が検出されるまで継続される。こうして、下部スラット群１４Ｂを回転させることができる。
【００３５】
図６（ｂ）の場合には、ブラインド昇降用ボタン５４、５６のいずれかのＯＮの立ち上がりで、第２のモータ３２の駆動が行われ、下部スラット群１４Ｂの全閉が検出された後、第２のモータ３２の駆動を所定時間Ｔｓ１停止し、次いで、第２のモータ３２が再駆動される。この第２のモータ３２の駆動は、ブラインド停止ボタン５８がＯＮとなるまで継続される。こうして、スラット１４の下方から全体的にブラインドを昇降させることができる。
【００３６】
下部スラット群１４Ｂが全閉となった後、所定時間Ｔｓ１停止させるのは、下部スラット群１４Ｂが全閉状態となったところで動作を止めるために、所定時間Ｔｓ１の間でブラインド停止ボタン５８をＯＮとすることができるようにするためである。例えば、所定時間Ｔｓ１としては、１秒から数秒とすることができる。但し、所定時間Ｔｓ１を省略して、下部スラット群の回転後にすぐにブラインドの昇降となる指令信号とすることもできる。
【００３７】
上部スラット群１４Ａの動作については、第１実施形態と同様とすることができるので、説明を省略する。
【００３８】
以上のようにして、上部スラット群１４Ａ及び下部スラット群１４Ｂの回転をそれぞれ個別に操作することができるようになる。尚、この実施形態において、スラット回転用ボタンによって回転動作するのを下部スラット群１４Ｂとし、ブラインド昇降用ボタンによって回転動作するのを上部スラット群１４Ａとすることも可能である。
【００３９】
（第３実施形態）
次に、図７は、本発明の第３の実施形態による制御用基板３８及び操作装置５０−１の構成を表すブロック図である。この操作装置５０−１は、図８に示すように、ユーザが手操作可能な入力部５２を有しており、入力部５２には、第１実施形態と同様の、ブラインド上昇ボタン５４、ブラインド下降ボタン５６、ブラインド停止ボタン５８、スラット正回転ボタン６０及びスラット逆回転ボタン６２の他に、スラット群切替ボタン６４が設けられている。
【００４０】
スラット群切替ボタン６４は、既存の操作装置において、リモート／ローカル切替またはブラインド機種切替用として使用されているボタンである。さらに、スラット群切替ボタン６４の上部には、ＬＥＤ表示部６６が設けられている。
【００４１】
ここで、通常のリモート／ローカル切替用ボタンとは、中央制御装置等から複数のブラインドを制御可能とした時に、リモートを選択すると、中央制御装置及び操作装置のいずれからも操作装置に接続されたブラインドは指令信号を受信して所定の動作をすることができるが、ローカルを選択すると、操作装置に接続されたブラインドは中央制御装置からの指令信号には応答せず、操作装置からの指令信号のみを受信して所定の動作をさせる時に使用するものである。
【００４２】
ボタン機能切替手段４０１は、スラット群切替ボタン６４が押圧されるたびに、スラット回転用ボタン６０、６２がＯＮとなった場合に、上部スラット群１４Ａ回転用としての操作と、下部スラット群１４Ｂ回転用としての操作とを切り替える。また、連動してＬＥＤ表示部６６の点灯・消灯を切り替える。
【００４３】
即ち、スラット群切替ボタン６４が押圧されるたびに、スラット回転用ボタン６０、６２がＯＮとなった場合にマイクロコンピュータ４０から駆動信号が出力されるモータドライバが、第１のモータドライバ４２と第２のモータドライバ４４に交互に切り替えられる。
【００４４】
さらに、操作装置５０−１には、スラット角度を表示するスラット角度表示部６８が設けられる。スラット角度表示部６８では、ＬＥＤの点灯に応じてスラット角度の段階を表示する。このスラット角度表示部６８で表示されるスラット角度の段階も、スラット群切替ボタン６４による切替と連動して、対応するスラット群の現在の角度の表示に切替られるとよい。
【００４５】
または、ＬＥＤ表示部６６、スラット角度表示部６８の色（青、赤、黄等）の違いによって切替を表示することもできる。
【００４６】
以上のようにして、上部スラット群１４Ａと下部スラット群１４Ｂとに分かれていないブラインドの既存の操作装置とボタン数及び接続線数が同じハードウェアの操作装置であるにもかかわらず、上部スラット群１４Ａ及び下部スラット群１４Ｂの回転をそれぞれ個別に操作することができるようになる。そして、操作装置５０−１の表示としては、既存の操作装置のスラット群切替ボタン６４の表示銘板を変更することで対応することができる。
【００４７】
（第４実施形態）
次に、図９は、本発明の第４の実施形態によるタイミングチャートを表す図である。図示しない他の部分は、第３実施形態と同一であるため、詳細説明を省略する。この実施形態のスラット群切替ボタン６４は、スラット群切替を行うためのだけのボタンではなく、リモート／ローカル切替を行うボタンを兼用している。
【００４８】
ボタン機能切替手段４０１は、スラット群切替ボタン６４がＯＮとなった時間を経時しており、図９（ａ）に示したように、ＯＮとなった連続時間が所定時間Ｔｓ２以内であった場合には、スラット群切替用として操作されたものと判定し、図９（ｂ）に示したように、ＯＮとなった連続時間が所定時間Ｔｓ２以上である場合には、リモート／ローカル切替用として操作されたものと判定する。例えば、所定時間Ｔｓ２としては、５秒程度とすることができる。
【００４９】
図９（ａ）の場合には、スラット群切替ボタン６４の所定時間Ｔｓ２以内の短いＯＮの後には、上部スラット群１４Ａが操作可能となる。また、スラット角度表示部６８は、上部スラット群１４Ａのスラット角度の表示を行なう。この状態において、スラット回転用ボタン６０、６２の操作がなされると、マイクロコンピュータ４０から第１のモータドライバ４２へと駆動信号が出力され、第１のモータ２４が駆動される。次のスラット群切替ボタン６４の所定時間Ｔｓ２内の短いＯＮの後には、下部スラット群１４Ｂが操作可能となる。また、スラット角度表示部６８は、下部スラット群１４Ｂのスラット角度の表示を行なう。従って、その後に、スラット回転用ボタン６０、６２の操作がなされると、マイクロコンピュータ４０から第２のモータドライバ４４へと駆動信号が出力され、第２のモータ３２が駆動される。
【００５０】
図９（ｂ）の場合には、スラット群切替ボタン６４がＯＮとなって所定時間Ｔｓ２後には、ＬＥＤ表示部６６が点灯し、ローカル操作が可能となる。また、スラット群切替ボタンがＯＮとなって所定時間Ｔｓ２後には、ＬＥＤ表示部６６が消灯し、リモート操作が可能となる。
【００５１】
こうして、第３実施形態と同様の効果が得られると共に、既存の操作装置で操作可能なリモート／ローカル切替機能も備えることができる。
【００５２】
（第５実施形態）
次に、図１０は、本発明の第５の実施形態による制御用基板３８及び操作装置５０−２の構成を表すブロック図である。この操作装置５０−２は、図１１に示すように、ユーザが手操作可能な入力部５２を有しており、入力部５２には、第１実施形態と同様の、ブラインド上昇ボタン５４、ブラインド下降ボタン５６、ブラインド停止ボタン５８、スラット正回転ボタン６０及びスラット逆回転ボタン６２が設けられている。また、これらのボタンは、他のボタンと共にテンキーとしても機能する。また、テンキーとして機能する以外に項目の設定時に押される「ＰＲＥＳＥＴ」ボタン、完了時に押される「ＥＮＴＥＲ」ボタン、前の項目に戻るときに押される「ＢＳＫＩＰ」ボタン、一文字消去するときに押される「ＤＥＬ」ボタン、設定完了のときに押される「ＯＫ」ボタン等が設けられている。各ボタンはそれぞれ操作装置５０−２のマイクロコンピュータ７２に接続されるスイッチを構成する。
【００５３】
また、操作装置５０−２には、液晶表示部７０が設けられており、ボタンの押圧により、表示がなされる。
【００５４】
この操作装置５０−２においては、「ＰＲＥＳＥＴ」ボタンを押すと、液晶表示部７０に「ＡＮＧＬＥ」が表示されるので、テンキーを押して、スラットの回転角度を指定することができるようになっている。このスラットの角度の指定は、例えば、各スラットの回転角度の段階が１５段階であるとしたときに、数値の１（初期段階）から３０（最終段階）まで指定可能となっている。そして、初期段階から中間段階である１〜１５までが下部スラット群１４Ｂの回転角度の段階を表す数値であり、中間段階から最終段階である１６〜３０までが上部スラット群１４Ａの回転角度の段階を表す数値とする。勿論、初期段階から中間段階までを上部スラット群１４Ａ、中間段階から最終段階までを下部スラット群１４Ｂに対応させることもできる。
【００５５】
テンキーを用いて、所望のスラット群の回転角度の段階を表す数値を入力し、正しく入力できたならば、「ＥＮＴＥＲ」ボタン及び「ＯＫ」ボタンを押すと設定が完了する。
【００５６】
また、スラット正回転ボタン６０及びスラット逆回転ボタン６２は、上部スラット群１４Ａ及び下部スラット群１４Ｂのいずれか、例えば、頻繁に開閉を行なうと考えられる下部スラット群１４Ｂの操作を行なうためのボタンとすることができる。
【００５７】
この実施形態では、下部スラット群１４Ｂを回転させたい場合には、スラット正回転ボタン６０及びスラット逆回転ボタン６２をＯＮとするか、または、テンキーを用いて、前述のスラットの回転角度の段階を表す数値を入力し、設定を完了させる。これにより、操作装置５０−２のマイクロコンピュータ７２から指令信号が出力され、マイクロコンピュータ４０から第２のモータドライバ４４へと駆動信号が出力され、第２のモータ３２が駆動される。
【００５８】
また、上部スラット群１４Ａを回転させたい場合には、テンキーを用いて、前述のスラットの回転角度の段階を表す数値を入力し、設定を完了させる。これにより、操作装置５０−２のマイクロコンピュータ７２から指令信号が出力され、マイクロコンピュータ４０から第１のモータドライバ４２へと駆動信号が出力され、第１のモータ２４が駆動される。
【００５９】
こうして、上部スラット群１４Ａと下部スラット群１４Ｂとに分かれていないブラインドの既存の操作装置とボタン数及び接続線数が同じハードウェアの操作装置であるにもかかわらず、上部スラット群１４Ａ及び下部スラット群１４Ｂの回転をそれぞれ個別に操作することができるようになる。
【図面の簡単な説明】
【００６０】
【図１】本発明による制御装置及び制御装置によって制御される電動ブラインドを含む全体構成図である。
【図２】（ａ）はスラット及び第１のラダーコードを表す鉛直面で電動ブラインドの一部を切って見た断面図、（ｂ）はスラット及び第２のラダーコードを表す鉛直面で電動ブラインドの一部を切って見た断面図である。
【図３】第１実施形態による制御用基板及び操作装置の構成を表すブロック図である。
【図４】第１実施形態における操作装置の正面図である。
【図５】（ａ）はブラインドを昇降させるためのタイミングチャート、（ｂ）は一方のスラット群を回転させるためのタイミングチャート、（ｃ）は他方のスラット群を回転させるためのタイミングチャートである。
【図６】（ａ）は本発明の第２実施形態による一方のスラット群を回転させるためのタイミングチャート、（ｂ）はブラインドを昇降させるためのタイミングチャートを表す図である。
【図７】第３実施形態による制御用基板及び操作装置の構成を表すブロック図である。
【図８】第３実施形態における操作装置の正面図である。
【図９】第４実施形態によるタイミングチャートを表す図である。
【図１０】第５実施形態による制御用基板及び操作装置の構成を表すブロック図である。
【図１１】第５実施形態における操作装置の正面図である。
【符号の説明】
【００６１】
１０  電動ブラインド
１４Ａ  上部スラット群
１４Ｂ  下部スラット群
５０、５０−１、５０−２  操作装置
５２  入力部
５４  ブラインド上昇ボタン（ブラインド昇降用ボタン）
５６  ブラインド下降ボタン（ブラインド昇降用ボタン）
６０  スラット正回転ボタン（スラット回転用ボタン）
６２  スラット逆回転ボタン（スラット回転用ボタン）
６８  スラット角度表示部（表示部）
６６  ＬＥＤ表示部
【図１】
2006063633.tif 000003
【図２】
2006063633.tif 000004
【図３】
2006063633.tif 000005
【図４】
2006063633.tif 000006
【図５】
2006063633.tif 000007
【図６】
2006063633.tif 000008
【図７】
2006063633.tif 000009
【図８】
2006063633.tif 000010
【図９】
2006063633.tif 000011
【図１０】
2006063633.tif 000012
【図１１】
2006063633.tif 000013